(57)【要約】【課題】容易に製造する事が可能な電子装置およびその製造方法を提供すること。【解決手段】本体部１０と、本体部１０の前面を覆い、本体部１０に対し変移することにより本体部１０の前面を露出する電子機器２０と、電子機器２０の背面と本体部１０との間に接続され、信号を伝送するフレキシブル基板３０と、電子機器２０が本体部１０の前面を覆った状態で電子機器２０の少なくとも一部を収めるように本体部１０の前面に設けられ、上部より下部の本体部１０の前面からの突き出し量が大きく、本体部１０の前面のフレキシブル基板３０が接続する位置の下方に切り欠き部４８を有するフレーム４０と、を具備する電子装置。【選択図】図２
2010103354.tif 000002
【特許請求の範囲】
【請求項１】
本体部と、
前記本体部の前面を覆い、前記本体部に対し変移することにより前記本体部の前面を露出する電子機器と、
前記電子機器の背面と前記本体部との間に接続され、信号を伝送するフレキシブル基板と、
前記電子機器が前記本体部の前面を覆った状態で前記電子機器の少なくとも一部を収めるように前記本体部の前面に設けられ、上部より下部の前記本体部の前面からの突き出し量が大きく、前記本体部の前面の前記フレキシブル基板が接続する位置の下方に切り欠き部を有するフレームと、
を具備することを特徴とする電子装置。
【請求項２】
前記切り欠き部の幅は前記フレキシブル基板の幅より広いことを特徴とする請求項１記載の電子装置。
【請求項３】
前記電子機器は、前記電子機器の下部が前記本体部から離れるように斜動することを特徴とする請求項１または２記載の電子装置。
【請求項４】
前記フレームの側部には、前記電子機器の側部に設けられた突起を案内することにより、前記電子機器を斜動させる案内溝が設けられていることを特徴とする請求項１から３のいずれか一項記載の電子装置。
【請求項５】
前記電子装置は車載用電子装置であることを特徴とする請求項１から４のいずれか一項記載の電子装置。
【請求項６】
本体部と、前記本体部の前面を覆い、前記本体部に対し変移することにより前記本体部の前面を露出する電子機器と、前記電子機器の背面と前記本体部との間に接続され、信号を伝送するフレキシブル基板と、前記電子機器が前記本体部の前面を覆った状態で前記電子機器の少なくとも一部を収めるように前記本体部の前面に設けられ、上部より下部の前記本体部の前面からの突き出し量が大きく、前記本体部の前面の前記フレキシブル基板が接続する位置の下方に切り欠き部を有するフレームと、を具備する電子装置の製造方法であって、
前記電子機器の背面に接続された前記フレキシブル基板を前記切り欠き部を介し前記本体部の前面に接続するステップを含むことを特徴とする電子装置の製造方法。
【請求項７】
前記フレキシブル基板を前記切り欠き部を介し前記本体部の前面に接続するステップの後、前記フレームの側部に設けられ、前記電子機器の側部に設けられた突起を案内する案内溝に、前記突起を挿入するステップを含むことを特徴とする請求項６記載の電子装置の製造方法。
【請求項８】
前記電子機器は、前記電子機器の下部が前記本体部から離れるように斜動することを特徴とする請求項６または７記載の電子装置の製造方法。
【請求項９】
前記電子装置は車載用電子装置であることを特徴とする請求項６から８のいずれか一項記載の電子装置の製造方法。
【発明の詳細な説明】
【技術分野】
【０００１】
本発明は、電子装置およびその製造方法に関し、特に電子機器と本体部とを備えた電子装置および製造方法に関する。
【背景技術】
【０００２】
例えば、車両に搭載される車両用ナビゲーション装置は運転席と助手席の間のダッシュボード部分に配置されることが多く、正面から見た大きさを定められた大きさとすることが求められている。そこで、表示部（電子機器）と本体部とを設け、表示部を視認する状態においては表示部の背面と本体部の前面とを対向させた状態で配置し、本体部の前面に設けられた記憶媒体等の挿排口等に記憶媒体等の挿排を行う際には、表示部を斜動させる構造が知られている。さらに、本体部の前面を囲うようにフレームを形成し、フレーム内に表示部を収める構造がある。
【０００３】
特許文献１には、ヒンジ部を固定するためのブラケットにフレキシブルケーブルに干渉しない切り欠き部を設けた携帯電話が記載されている。
【特許文献１】特開２００７−１５８２３６号公報
【発明の開示】
【発明が解決しようとする課題】
【０００４】
以上のような電子装置において、例えば、電子装置が搭載されるダッシュボードの形状に合わせ、フレームの下部が上部より突き出している場合がある。この場合、製造工程において、表示部に接続されたフレキシブル基板を下部の下方から本体部の前面に接続しようとすると、下部の突き出しが大きいため、フレキシブル基板を長くすることが求められる。一方、フレキシブル基板が長いと、表示部が斜動する際に、フレキシブル基板が邪魔になる。例えば、フレキシブル基板と本体部や表示部とが擦れた際に雑音が生じる。
【０００５】
以上のように、表示部（電子機器）と本体部とがフレキシブル基板で接続され、下部が本体部から離れるように表示部が斜動し、かつフレームの下部が上部より突き出した電子装置においては、フレキシブル基板を短くしようとすると、製造工程が難しいという課題がある。
【０００６】
本電子装置は、上記課題に鑑みなされたものであり、容易に製造する事が可能な電子装置およびその製造方法を提供することを目的とする。
【課題を解決するための手段】
【０００７】
本電子装置は、本体部と、前記本体部の前面を覆い、前記本体部に対し変移することにより前記本体部の前面を露出する電子機器と、前記電子機器の背面と前記本体部との間に接続され、信号を伝送するフレキシブル基板と、前記電子機器が前記本体部の前面を覆った状態で前記電子機器の少なくとも一部を収めるように前記本体部の前面に設けられ、上部より下部の前記本体部の前面からの突き出し量が大きく、前記本体部の前面の前記フレキシブル基板が接続する位置の下方に切り欠き部を有するフレームと、を具備することを特徴とする。本構成によれば、フレキシブル基板を切り欠き部を介し本体部に接続することにより、電子装置を容易に製造することができる。
【０００８】
上記構成において、前記切り欠き部の幅は前記フレキシブル基板の幅より広い構成とすることができる。この構成によれば、切り欠き部にフレキシブル基板を容易に通過させることができるため、より容易に電子装置を製造することができる。
【０００９】
上記構成において、前記電子機器は、前記電子機器の下部が前記本体部から離れるように斜動する構成とすることができる。この構成によれば、本体部の前面のフレキシブル基板が接続する位置が前記前面の下の領域となるため、フレキシブル基板を本体部に接続する際に、電子機器をフレームの下方に配置することとなり、切り欠き部を設けることがより有効となる。
【００１０】
上記構成において、前記フレームの側部には、前記電子機器の側部に設けられた突起を案内することにより、前記電子機器を斜動させる案内溝が設けられている構成とすることができる。
【００１１】
前記電子装置は車載用電子装置である構成とすることができる。
【００１２】
本電子装置の製造方法は、本体部と、前記本体部の前面を覆い、前記本体部に対し変移することにより前記本体部の前面を露出する電子機器と、前記電子機器の背面と前記本体部との間に接続され、信号を伝送するフレキシブル基板と、前記電子機器が前記本体部の前面を覆った状態で前記電子機器に少なくとも一部を収めるように前記本体部の前面に設けられ、上部より下部の前記本体部の前面からの突き出し量が大きく、前記本体部の前面の前記フレキシブル基板が接続する位置の下方に切り欠き部を有するフレームと、を具備する電子装置の製造方法であって、前記電子機器の背面に接続された前記フレキシブル基板を前記切り欠き部を介し前記本体部の前面に接続するステップを含むことを特徴とする電子装置の製造方法である。本構成によれば、フレキシブル基板を切り欠き部を介し本体部に接続することにより、電子装置を容易に製造することができる。
【００１３】
上記構成において、前記フレキシブル基板を前記切り欠き部を介し前記本体部の前面に接続するステップの後、前記フレームの側部に設けられ、前記電子機器の側部に設けられた突起を案内する案内溝に、前記突起を挿入するステップを含む構成とすることができる。この構成によれば、フレキシブル基板を本体部に接続するための空間を確保することが容易となり、電子装置をより容易に製造することができる。
【発明の効果】
【００１４】
本構成によれば、フレキシブル基板を切り欠き部を介し本体部に接続することにより、電子装置を容易に製造することができる。
【発明を実施するための最良の形態】
【００１５】
以下に、図面を用い実施例について説明する。
【実施例１】
【００１６】
図１は、実施例１に係る電子装置（カーナビゲーション装置）の斜視図である。図１を参照に、電子装置１００は、本体部１０と表示部２０とを有している。本体部１０には、カーナビゲーションの制御部、ＣＤ（Compact Disc）、ＤＶＤ（Digital Versatile Disc）等の記憶媒体の再生部、オーディオ等が収められている。フレーム４０（インターパネル）は、表示部２０が本体部１０の前面１２を覆った状態で表示部２０を収めるように本体部１０の前面を囲み設けられている。フレーム４０は上部４２、下部４４および側部４６を有している。表示部２０はＬＣＤ（Liquid Crystal Display）等の表示画面２４と、表示画面２４等を操作する操作部２６を有している。また、表示画面２４はタッチパネルを備えていてもよい。ユーザは、表示部２０がフレーム４０内に収められた状態で表示画面２４を視認することができる。フレーム４０の下部４４には切り欠き部４８が設けられ、切り欠き部４８には、カバー部６０が嵌め込まれている。カバー部６０により切り欠き部４８が目立たず、良好な意匠を生じさせている。
【００１７】
図２は表示部２０を離脱させた本体部１０を示す斜視図である。図２のように、本体部１０の前面１２には、フレキシブル基板３０を接続するための開口部１５が設けられている。開口部１５内には、フレキシブル基板３０を接続するためコネクターが設けられている。また、本体部１０の前面１２の上の領域には、ＣＤの挿排口１６、ＤＶＤの挿排口１８が設けられている。本体部１０の前面１２の上の領域には、表示部２０を斜動させるためのスライダー５０が設けられている。フレーム４０の下部４４には、本体部１０の前面１２のフレキシブル基板３０が接続する位置の下方に切り欠き部４８を有する。図２は切り欠き部４８からカバー部６０を離脱した状態を示している。フレーム４０の左右の側部４６の内面には表示部２０を斜動させるためのＳ字様の案内溝４５が設けられている。
【００１８】
図３（ａ）は表示部２０、図３（ｂ）は表示部２０の背面２２を示す図である。図３（ａ）のように、表示部２０の側面の上背面側には突起５５が設けられている。突起５５は、案内溝４５に嵌め込まれ、表示部２０が斜動する際に、案内溝４５内をスライドする。図３（ｂ）のように、表示部２０の背面２２には、フレキシブル基板３０が接続部２８により機械的に接続している。フレキシブル基板３０は、表示画面２４に画像を表示させるための画像信号を、本体部１０から表示部２０に伝送する。また、表示部２０の操作部２６が操作されると、操作情報を本体部１０に伝送する。フレキシブル基板３０の先端には、本体部１０の前面１２のコネクター１４に係合するコネクター３２が設けられている。背面２２の下の領域の左右にはスライダー５０を接続するための接続部５２が設けられている。図２の切り欠き部４８の幅Ｗ１は、図３（ｂ）のフレキシブル基板３０の幅Ｗ２より大きく設定されている。
【００１９】
図４（ａ）および図４（ｂ）は、表示部２０の動きを説明するための電子装置１００の断面図である。表示部２０を破線で示している。図４（ａ）を参照に、フレーム４０の下部４４の本体部１０の前面１２からの突き出し量Ｌ２は、上部４２の本体部１０の前面１２からの突き出し量Ｌ１より大きい。表示部２０の突起５５はフレーム４０の案内溝４５に嵌め込まれている。スライダー５０の先端は、表示部２０の背面２２の接続部５２に接続されている。表示部２０が本体部１０の前面１２を覆った状態では、突起５５は案内溝４５の上端に位置している。
【００２０】
図４（ｂ）を参照に、表示部２０が変位し本体部１０の前面１２を露出させる際は、スライダー５０が伸び、表示部２０の下部が本体部１０から離れるように、表示部２０が斜動する。このとき、突起５５は案内溝４５内をスライドする。表示部２０が最も斜動し、本体部１０の前面１２が最も露出した場合、突起５５は案内溝４５の下端に位置している。この状態で、本体部１０の前面１２のＣＤ挿排口やＤＶＤ挿排口を操作することができる。フレキシブル基板３０は、表示部２０が変位した際に変形する。
【００２１】
次に、本体部１０へのフレーム４０および表示部２０の取り付ける方法について説明する。図５から図１３は、電子装置１００の模式図である。図５のように、前面１２となるパネルをネジ穴６１を介しネジ６２で本体部１０の筐体１１にネジ止めする。これにより、本体部１０が形成される。図６のように、本体部１０の嵌合穴６４に嵌合部６６を嵌合させることにより、本体部１０にフレーム４０を組み付ける。図７のように、案内溝４５にグリス７２を塗布する。グリス７２により、案内溝４５内の突起５５の移動が容易になる。
【００２２】
図８（ａ）のように、フレーム４０の下方に表示部２０を配置する。図８（ｂ）および図９を参照に、フレキシブル基板３０を切り欠き部４８を介し本体部１０に接続する。フレキシブル基板３０の先端のコネクター３２を開口部１５を介しコネクター１４に嵌め込む。図１０および図１１（ａ）のように、表示部２０を本体部１０の前方に配置する。表示部２０の上部を本体部１０側に、表示部２０の下部が本体部１０から離れるように表示部２０を配置する。表示部２０の突起５５を案内溝４５に嵌め込む。案内溝４５がフレーム４０の前面まで延伸しているため、突起５５を容易に案内溝４５に嵌め込むことができる。
【００２３】
図１１（ｂ）および図１２のように、スライダー５０を延伸させ、表示部２０の背面２２の接続部５２にスライダー５０を接続する。例えば、ねじ７０を用いスライダー５０を接続部５２に接続する。スライダー５０と接続部５２（図３（ｂ）参照）とは回転自在なように接続される。図１３のように、表示部２０を自立させる。カバー部６０を切り欠き部４８に嵌め込む。フレーム４０を本体部１０にねじ止めする。以上により、表示部２０の取り付けが終了する。
【００２４】
図１４は、フレーム４０が切り欠き部４８を備えない比較例についての電子装置の製造工程の示す図である（実施例１の図８（ｂ）に対応している）。表示部２０に接続されたフレキシブル基板３０を下部４４の下方から本体部１０の前面１２に接続しようとすると、下部４４の突き出しが大きいため、フレキシブル基板３０を長くすることが求められる。一方、フレキシブル基板３０は短いことが好ましい。フレキシブル基板３０を短くすると、電子装置の製造が難しくなる。
【００２５】
実施例１によれば、図２のように、本体部１０の前面１２のフレキシブル基板３０が接続するコネクター１４の下方のフレーム４０の下部４４に切り欠き部４８を有する。これにより、図８（ｂ）のように、フレキシブル基板３０を切り欠き部４８を介し本体部１０の前面１２に接続することができる。よって、図１４のように、フレーム４０の下部４４により、フレキシブル基板３０の接続が妨げられることを抑制することができる。したがって、フレキシブル基板３０を短くしても容易に電子装置を製造することができる。
【００２６】
図８（ｂ）において、表示部２０をフレーム４０の下方に配置するのは、本体部１０の前面１２の前上方にフレキシブル基板３０をコネクター１４に接続するため、組み立て者の手や冶具のための空間を確保するためである。特に、図４（ｂ）のように、表示部２０の下部が本体部１０から離れるように斜動する電子装置においては、本体部１０の前面１２内の上領域にディスク媒体の挿排口等の操作部が配置される。よって、コネクター１４は、前面１２の下領域に配置されることになり、組み立て者の手や冶具のための空間を前面１２の上前方に確保するため、表示部２０をフレーム４０の下方に配置し、フレキシブル基板３０を本体部１０に接続することが好ましい。
【００２７】
切り欠き部４８の幅はフレキシブル基板３０の幅より広いことが好ましい。これにより、フレキシブル基板３０を容易に切り欠き部４８内を案内することができる。
【００２８】
図４（ａ）および図４（ｂ）のように、フレーム４０の側部４６には、表示部２０の側部４６に設けられた突起５５を案内する案内溝４５が設けられており、突起５５が案内溝４５に案内されることにより、表示部２０が斜動する。このような電子装置の構造において、図８（ｂ）のように、フレキシブル基板３０を切り欠き部４８を介し本体部１０の前面１２に接続した後、図１１（ａ）のように、突起５５を案内溝４５に挿入することが好ましい。突起５５を案内溝４５に挿入した後では、フレキシブル基板３０をコネクター１４に接続するための空間を確保することが難しいためである。
【００２９】
実施例１では、電子装置の例として車載用電子装置について説明した。電子装置は例えば、家庭用電子装置でもよい。また、電子機器の例として、表示部について説明したが、電子機器は、本体部とフレキシブル基板により電気的に接続し、本体部の前面を覆い、本体部に対し変移することにより本体部の前面を露出するものであればよい。この際、フレキシブル基板は、データ等の信号を伝送すればよい。さらに、フレームは表示部の全部を収めてもよいが、少なくとも一部を収めていればよい。
【００３０】
以上、本発明の好ましい実施例について詳述したが、本発明は係る特定の実施例に限定されるものではなく、特許請求の範囲に記載された本発明の要旨の範囲内において、種々の変形・変更が可能である。
【図面の簡単な説明】
【００３１】
【図１】図１は、実施例１に係る電子装置の斜視図である。
【図２】図２は、実施例１の本体部の斜視図である。
【図３】図３（ａ）および図３（ｂ）は、表示部の図である。
【図４】図４（ａ）および図４（ｂ）は、電子装置の断面模式図である。
【図５】図５は、電子装置の製造工程を示す斜視図（その１）である。
【図６】図６は、電子装置の製造工程を示す斜視図（その２）である。
【図７】図７は、電子装置の製造工程を示す斜視図（その３）である。
【図８】図８（ａ）および図８（ｂ）は、電子装置の製造工程を示す断面模式図（その１）である。
【図９】図９は、電子装置の製造工程を示す斜視図（その４）である。
【図１０】図１０は、電子装置の製造工程を示す斜視図（その５）である。
【図１１】図１１（ａ）および図１１（ｂ）は、電子装置の製造工程を示す断面模式図（その２）である。
【図１２】図１２は、電子装置の製造工程を示す斜視図（その６）である。
【図１３】図１３は、電子装置の製造工程を示す断面模式図（その３）である。
【図１４】図１４は、比較例に係る電子装置の製造工程の断面模式図である。
【符号の説明】
【００３２】
１０          本体
１２          前面
２０          表示部
２２          背面
３０          フレキシブル基板
４０          フレーム
４２          上部
４４          下部
４５          案内溝
４６          側部
４８          切り欠き部
５０          スライダー
５５          突起
【図１】
2010103354.tif 000003
【図２】
2010103354.tif 000004
【図３】
2010103354.tif 000005
【図４】
2010103354.tif 000006
【図５】
2010103354.tif 000007
【図６】
2010103354.tif 000008
【図７】
2010103354.tif 000009
【図８】
2010103354.tif 000010
【図９】
2010103354.tif 000011
【図１０】
2010103354.tif 000012
【図１１】
2010103354.tif 000013
【図１２】
2010103354.tif 000014
【図１３】
2010103354.tif 000015
【図１４】
2010103354.tif 000016